(57)【要約】【課題】  加工データおよび治具が不適合な状態での加工の実行を抑えることができる加工システムを提供する。【解決手段】  治具の種類を示す治具ＩＤが関連付けられている印刷データに応じて被加工物に対して印刷を実行するインクジェットプリンターと、被加工物を支持してインクジェットプリンターにセットされ、自身の種類を示す治具ＩＤを備える治具とを備える加工システムは、治具から治具ＩＤを取得し（Ｓ６１）、印刷データに関連付けられている治具ＩＤと、Ｓ６１において治具から取得した治具ＩＤとが一致しない場合に（Ｓ６３でＮＯ）、印刷データおよび治具の不適合を通知する（Ｓ６４）ことを特徴とする。【選択図】  図８
2020151891.tif 000002
【特許請求の範囲】
【請求項１】
加工データに応じて被加工物に対して加工を実行する加工装置と、
前記被加工物を支持して前記加工装置にセットされる治具と、
前記加工データおよび前記治具の不適合を通知する不適合通知部と
を備える加工システムであって、
前記治具は、前記治具自身の種類を示す治具識別情報を備え、
前記加工システムは、前記治具から前記治具識別情報を取得する情報取得部を備え、
前記加工データには、前記治具識別情報が関連付けられており、
前記不適合通知部は、前記加工データに関連付けられている前記治具識別情報と、前記情報取得部によって前記治具から取得された前記治具識別情報とが一致しない場合に、前記不適合を通知することを特徴とする加工システム。
【請求項２】
複数の前記加工データを蓄積可能な加工データ蓄積部を備え、
前記不適合通知部は、前記情報取得部によって前記治具から前記治具識別情報が取得された場合に、前記加工データ蓄積部に蓄積されている全ての前記加工データに関して、前記加工データに関連付けられている前記治具識別情報と、前記情報取得部によって前記治具から取得された前記治具識別情報とが一致しないとき、前記不適合を通知することを特徴とする請求項１に記載の加工システム。
【請求項３】
前記加工装置は、前記情報取得部によって前記治具から前記治具識別情報が取得された場合に、前記加工データ蓄積部に蓄積されているいずれかの前記加工データに関連付けられている前記治具識別情報と、前記情報取得部によって前記治具から取得された前記治具識別情報とが一致するとき、前記加工データ蓄積部に蓄積されている前記加工データのうち、前記情報取得部によって前記治具から取得された前記治具識別情報が関連付けられている前記加工データに応じて加工を実行することを特徴とする請求項２に記載の加工システム。
【請求項４】
複数の前記加工データを蓄積可能な加工データ蓄積部を備え、
前記不適合通知部は、前記加工データ蓄積部に蓄積されているいずれかの前記加工データの指定と、前記情報取得部による前記治具からの前記治具識別情報の取得とが実行された場合に、指定された前記加工データに関連付けられている前記治具識別情報と、前記情報取得部によって前記治具から取得された前記治具識別情報とが一致しないとき、前記不適合を通知することを特徴とする請求項１に記載の加工システム。
【請求項５】
前記加工装置は、前記加工データ蓄積部に蓄積されているいずれかの前記加工データの指定と、前記情報取得部による前記治具からの前記治具識別情報の取得とが実行された場合に、指定された前記加工データに関連付けられている前記治具識別情報と、前記情報取得部によって前記治具から取得された前記治具識別情報とが一致するとき、指定された前記加工データに応じて加工を実行することを特徴とする請求項４に記載の加工システム。
【請求項６】
前記加工データには、前記加工装置によって加工される予定の最終的な前記被加工物の個数としての最終加工個数が関連付けられており、
前記加工システムは、
前記治具によって支持可能な最大の前記被加工物の個数としての最大支持個数を前記治具識別情報に関連付けて前記治具の種類毎に示す治具データベースと、
前記最終加工個数および前記最大支持個数を通知する個数通知部と
を備え、
前記個数通知部は、前記情報取得部によって前記治具から前記治具識別情報が取得された場合に、前記加工装置が前記加工データに応じて加工を実行するとき、前記加工装置が加工に使用する前記加工データに関連付けられている前記最終加工個数と、前記情報取得部によって前記治具から取得された前記治具識別情報に関連付けて前記治具データベースに示されている前記最大支持個数とを通知することを特徴とする請求項１から請求項５までのいずれかに記載の加工システム。
【請求項７】
前記不適合通知部は、前記治具に備えられるデバイスによって前記不適合を通知することを特徴とする請求項１から請求項６までのいずれかに記載の加工システム。
【請求項８】
前記情報取得部は、前記治具から前記治具識別情報を無線通信または有線通信で取得することを特徴とする請求項１から請求項７までのいずれかに記載の加工システム。
【発明の詳細な説明】
【技術分野】
【０００１】
本発明は、加工データに応じて被加工物に対して加工を実行する加工システムに関する。
【背景技術】
【０００２】
従来の加工システムとして、加工データとしての印刷データに応じて、被加工物としての媒体に対して、加工としての印刷を実行するプリンターと、媒体を支持してプリンターに対してセットされる治具とを備えるものが知られている（例えば、特許文献１参照。）。
【先行技術文献】
【特許文献】
【０００３】
【特許文献１】国際公開第２０１１／０２４４６３号
【発明の概要】
【発明が解決しようとする課題】
【０００４】
しかしながら、従来の加工システムにおいては、印刷データと、治具とが不適合である場合にプリンターによって印刷が実行される可能性があるという問題がある。印刷データと、治具とが不適合である場合にプリンターによって印刷が実行されると、媒体に適切な印刷が実行されなかったり、印刷の実行中に、例えばプリンターの印刷ヘッドなど、プリンターの一部が治具に衝突してプリンターおよび治具の少なくとも一方が破損してしまったりして、媒体への印刷の作業効率が低下する。
【０００５】
作業者は、目的の印刷物毎に例えばメモ書きなどを確認して、複数種類の治具の中から、適切な治具を選択するので、適切な治具を選択するための作業負荷が大きい上に、不適切な治具を誤って選択してしまうことも有り得る。また、プリンターにセット可能な治具の種類が増えれば増えるほど、適切な治具を選択する作業者の作業負荷が大きくなり、熟練者である作業者と、初心者である作業者との間の作業効率に差が出てしまい、その結果、作業者によって印刷物の生産性に差が出てしまう。
【０００６】
そこで、本発明は、加工データおよび治具が不適合な状態での加工の実行を抑えることができる加工システムを提供することを目的とする。
【課題を解決するための手段】
【０００７】
本発明の加工システムは、加工データに応じて被加工物に対して加工を実行する加工装置と、前記被加工物を支持して前記加工装置にセットされる治具と、前記加工データおよび前記治具の不適合を通知する不適合通知部とを備える加工システムであって、前記治具は、前記治具自身の種類を示す治具識別情報を備え、前記加工システムは、前記治具から前記治具識別情報を取得する情報取得部を備え、前記加工データには、前記治具識別情報が関連付けられており、前記不適合通知部は、前記加工データに関連付けられている前記治具識別情報と、前記情報取得部によって前記治具から取得された前記治具識別情報とが一致しない場合に、前記不適合を通知することを特徴とする。
【０００８】
この構成により、本発明の加工システムは、加工データに関連付けられている治具識別情報と、治具から取得した治具識別情報とが一致しない場合に、加工データおよび治具の不適合を通知するので、加工データおよび治具が不適合な状態での加工の実行を抑えることができる。
【０００９】
本発明の加工システムは、複数の前記加工データを蓄積可能な加工データ蓄積部を備え、前記不適合通知部は、前記情報取得部によって前記治具から前記治具識別情報が取得された場合に、前記加工データ蓄積部に蓄積されている全ての前記加工データに関して、前記加工データに関連付けられている前記治具識別情報と、前記情報取得部によって前記治具から取得された前記治具識別情報とが一致しないとき、前記不適合を通知しても良い。
【００１０】
この構成により、本発明の加工システムは、治具から治具識別情報を取得した場合に、加工データ蓄積部に蓄積されている全ての加工データに関して、加工データに関連付けられている治具識別情報と、治具から取得した治具識別情報とが一致しないとき、加工データおよび治具の不適合を通知するので、加工データおよび治具の不適合を通知した場合に治具を交換すべきことを作業者に容易に認識させることができ、その結果、利便性を向上することができる。
【００１１】
本発明の加工システムにおいて、前記加工装置は、前記情報取得部によって前記治具から前記治具識別情報が取得された場合に、前記加工データ蓄積部に蓄積されているいずれかの前記加工データに関連付けられている前記治具識別情報と、前記情報取得部によって前記治具から取得された前記治具識別情報とが一致するとき、前記加工データ蓄積部に蓄積されている前記加工データのうち、前記情報取得部によって前記治具から取得された前記治具識別情報が関連付けられている前記加工データに応じて加工を実行しても良い。
【００１２】
この構成により、本発明の加工システムは、加工データ蓄積部に蓄積されている加工データのうち、治具から取得された治具識別情報が関連付けられている加工データに応じて加工を実行するので、加工データ蓄積部に蓄積されている加工データから、治具に適合する加工データを作業者が抽出する必要がなく、利便性を向上することができる。
【００１３】
本発明の加工システムは、複数の前記加工データを蓄積可能な加工データ蓄積部を備え、前記不適合通知部は、前記加工データ蓄積部に蓄積されているいずれかの前記加工データの指定と、前記情報取得部による前記治具からの前記治具識別情報の取得とが実行された場合に、指定された前記加工データに関連付けられている前記治具識別情報と、前記情報取得部によって前記治具から取得された前記治具識別情報とが一致しないとき、前記不適合を通知しても良い。
【００１４】
この構成により、本発明の加工システムは、加工データ蓄積部に蓄積されている加工データのうち、指定された加工データに関連付けられている治具識別情報と、治具から取得した治具識別情報とが一致しないとき、加工データおよび治具の不適合を通知するので、作業者が加工の実行を希望する加工データに適合しない治具を使用した加工を防止することができる。
【００１５】
本発明の加工システムにおいて、前記加工装置は、前記加工データ蓄積部に蓄積されているいずれかの前記加工データの指定と、前記情報取得部による前記治具からの前記治具識別情報の取得とが実行された場合に、指定された前記加工データに関連付けられている前記治具識別情報と、前記情報取得部によって前記治具から取得された前記治具識別情報とが一致するとき、指定された前記加工データに応じて加工を実行しても良い。
【００１６】
この構成により、本発明の加工システムは、加工データ蓄積部に蓄積されている加工データのうち、指定された加工データに関連付けられている治具識別情報と、治具から取得した治具識別情報とが一致するとき、加工を実行するので、作業者が加工の実行を希望する加工データに適合する治具を使用した加工を実行することができる。
【００１７】
本発明の加工システムにおいて、前記加工データには、前記加工装置によって加工される予定の最終的な前記被加工物の個数としての最終加工個数が関連付けられており、前記加工システムは、前記治具によって支持可能な最大の前記被加工物の個数としての最大支持個数を前記治具識別情報に関連付けて前記治具の種類毎に示す治具データベースと、前記最終加工個数および前記最大支持個数を通知する個数通知部とを備え、前記個数通知部は、前記情報取得部によって前記治具から前記治具識別情報が取得された場合に、前記加工装置が前記加工データに応じて加工を実行するとき、前記加工装置が加工に使用する前記加工データに関連付けられている前記最終加工個数と、前記情報取得部によって前記治具から取得された前記治具識別情報に関連付けて前記治具データベースに示されている前記最大支持個数とを通知しても良い。
【００１８】
この構成により、本発明の加工システムは、治具から治具識別情報を取得した場合に、加工装置が加工データに応じて加工を実行するとき、加工装置が加工に使用する加工データに関連付けられている最終加工個数と、治具から取得した治具識別情報に関連付けて治具データベースに示されている最大支持個数とを通知するので、作業者による作業の予測を容易化することができる。
【００１９】
本発明の加工システムにおいて、前記不適合通知部は、前記治具に備えられるデバイスによって前記不適合を通知しても良い。
【００２０】
この構成により、本発明の加工システムは、加工データおよび治具の不適合を治具自身に備えられるデバイスによって通知するので、治具を加工装置にセットする作業者によって加工データおよび治具の不適合が認識される可能性を向上することができる。
【００２１】
本発明の加工システムにおいて、前記情報取得部は、前記治具から前記治具識別情報を無線通信または有線通信で取得しても良い。
【００２２】
この構成により、本発明の加工システムは、治具から治具識別情報を無線通信または有線通信で取得するので、治具からの治具識別情報の取得を容易化することができ、利便性を向上することができる。
【発明の効果】
【００２３】
本発明の加工システムは、加工データおよび治具が不適合な状態での加工の実行を抑えることができる。
【図面の簡単な説明】
【００２４】
【図１】本発明の第１の実施の形態に係る加工システムのブロック図である。
【図２】図１に示すインクジェットプリンターの外観斜視図である。
【図３】図２に示すインクジェットプリンターのブロック図である。
【図４】１台のコンピューターによって構成される場合の図１に示す印刷管理システムのブロック図である。
【図５】図４に示す治具データベースの一例を示す図である。
【図６】図４に示す注文状況データベースの一例を示す図である。
【図７】図１に示す治具の外観斜視図である。
【図８】治具に付されているバーコードがバーコードリーダーによって読み取られる場合の図４に示す印刷管理システムの動作のフローチャートである。
【図９】図７に示す例とは異なる、図１に示す治具の外観斜視図である。
【図１０】本発明の第２の実施の形態に係る加工システムのブロック図である。
【図１１】１台のコンピューターによって構成される場合の図１０に示す印刷管理システムのブロック図である。
【図１２】治具に付されているバーコードがバーコードリーダーによって読み取られる場合の図１０に示す印刷管理システムの動作のフローチャートである。
【発明を実施するための形態】
【００２５】
以下、本発明の実施の形態について、図面を用いて説明する。
【００２６】
（第１の実施の形態）
まず、本実施の形態に係る加工システムの構成について説明する。
【００２７】
図１は、本実施の形態に係る加工システム１０のブロック図である。
【００２８】
図１に示すように、加工システム１０は、加工データとしての印刷データに応じて被加工物に対して、加工としての印刷を実行する加工装置であるインクジェットプリンター２０と、インクジェットプリンター２０による印刷を管理する印刷管理システム４０とを備えている。
【００２９】
インクジェットプリンター２０と、印刷管理システム４０とは、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、通信可能に接続されている。
【００３０】
印刷管理システム４０は、１台のコンピューターによって構成されても良いし、複数台のコンピューターによって構成されても良い。
【００３１】
加工システム１０は、被加工物を支持してインクジェットプリンター２０にセットされる治具５０を備えている。加工システム１０は、治具５０以外にも、治具５０と同様の構成の治具を少なくとも１つ備えることが可能である。
【００３２】
図２は、インクジェットプリンター２０の外観斜視図である。
【００３３】
図２に示すように、インクジェットプリンター２０は、治具５０などの治具を矢印２０ａで示す鉛直方向における下側から支持して、治具が位置決めされてセットされることが可能なフラットベッド２１と、フラットベッド２１に対して鉛直方向における上側に配置されていて、鉛直方向に直交する矢印２０ｂで示す前後方向（以下「副走査方向」という。）にフラットベッド２１に対して移動可能に支持されている印刷部２２とを備えている。
【００３４】
印刷部２２は、鉛直方向および副走査方向の両方に直交する矢印２０ｃで示す左右方向（以下「主走査方向」という。）に延在しているガイドレール２３と、ガイドレール２３によって主走査方向における移動がガイドされるキャリッジ２４と、フラットベッド２１にセットされた治具に支持された被加工物９０に向けてインクを吐出する複数のインクジェットヘッド２５と、フラットベッド２１にセットされた治具に支持された被加工物９０に付着したインクに向けて光を照射する複数の光照射装置２６とを備えている。
【００３５】
インクジェットヘッド２５および光照射装置２６は、キャリッジ２４に搭載されている。
【００３６】
インクジェットヘッド２５によって吐出されるインクは、光照射装置２６によって光が照射されることによって硬化するインクであり、例えば、ＵＶ硬化型インクである。
【００３７】
光照射装置２６は、例えば、ＬＥＤ（Ｌｉｇｈｔ  Ｅｍｉｔｔｉｎｇ  Ｄｉｏｄｅ）によって紫外線を照射する装置である。
【００３８】
図３は、インクジェットプリンター２０のブロック図である。
【００３９】
図３に示すように、インクジェットプリンター２０は、複数のインクジェットヘッド２５と、複数の光照射装置２６と、フラットベッド２１（図２参照。）に対して印刷部２２（図２参照。）を副走査方向に移動させる印刷部走査装置２７と、ガイドレール２３（図２参照。）に沿って主走査方向にフラットベッド２１に対してキャリッジ２４（図２参照。）を移動させるキャリッジ走査装置２８と、種々の操作が入力される例えばボタンなどの入力デバイスである操作部２９と、種々の情報を表示するＬＣＤ（Ｌｉｑｕｉｄ  Ｃｒｙｓｔａｌ  Ｄｉｓｐｌａｙ）などの表示デバイスである表示部３０と、音声出力デバイスであるスピーカー３１と、ネットワーク経由で、または、ネットワークを介さずに有線または無線によって直接に、外部の装置と通信を行う通信デバイスである通信部３２と、各種の情報を記憶する半導体メモリー、ＨＤＤ（Ｈａｒｄ  Ｄｉｓｋ  Ｄｒｉｖｅ）などの不揮発性の記憶デバイスである記憶部３３と、インクジェットプリンター２０全体を制御する制御部３４とを備えている。
【００４０】
制御部３４は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部３４のＣＰＵの作業領域として用いられるＲＡＭ（Ｒａｎｄｏｍ  Ａｃｃｅｓｓ  Ｍｅｍｏｒｙ）とを備えている。制御部３４のＣＰＵは、制御部３４のＲＯＭまたは記憶部３３に記憶されているプログラムを実行する。
【００４１】
図４は、１台のコンピューターによって構成される場合の印刷管理システム４０のブロック図である。
【００４２】
図４に示すように、印刷管理システム４０は、種々の操作が入力される例えばキーボード、マウスなどの入力デバイスである操作部４１と、種々の情報を表示するＬＣＤなどの表示デバイスである表示部４２と、音声出力デバイスであるスピーカー４３と、ネットワーク経由で、または、ネットワークを介さずに有線または無線によって直接に、外部の装置と通信を行う通信デバイスである通信部４４と、バーコードを読み取るバーコードリーダー４５と、各種の情報を記憶する半導体メモリー、ＨＤＤなどの不揮発性の記憶デバイスである記憶部４６と、印刷管理システム４０全体を制御する制御部４７とを備えている。
【００４３】
バーコードリーダー４５は、例えばハンディータイプのものである。
【００４４】
記憶部４６は、インクジェットプリンター２０による印刷を管理するための印刷管理プログラム４６ａを記憶している。印刷管理プログラム４６ａは、例えば、印刷管理システム４０の製造時に印刷管理システム４０にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体から印刷管理システム４０に追加でインストールされても良いし、ネットワーク上から印刷管理システム４０に追加でインストールされても良い。
【００４５】
記憶部４６は、治具の情報を治具毎に示す治具データベース４６ｂを記憶している。
【００４６】
図５は、治具データベース４６ｂの一例を示す図である。
【００４７】
図５に示す治具データベース４６ｂは、治具の種類を示す治具識別情報（以下「治具ＩＤ」という。）と、治具に支持される被加工物のサイズと、治具によって支持可能な最大の被加工物の個数としての最大支持個数と、冶具における特定の方向（以下「縦方向」という。）に治具によって支持可能な最大の被加工物の個数としての縦方向最大支持個数と、冶具における縦方向に直交する方向（以下「横方向」という。）に治具によって支持可能な最大の被加工物の個数としての横方向最大支持個数とを治具の種類毎に含んでいる。ここで、被加工物のサイズは、縦方向におけるサイズと、横方向におけるサイズとを含んでいる。また、最大支持個数は、縦方向最大支持個数と、横方向最大支持個数との積である。
【００４８】
図４に示すように、記憶部４６は、被加工物への印刷の注文の状況を示す注文状況情報を注文毎に示す注文状況データベース４６ｃを記憶している。
【００４９】
図６は、注文状況データベース４６ｃの一例を示す図である。
【００５０】
図６に示す注文状況データベース４６ｃによれば、注文状況情報は、注文の識別情報である注文ＩＤと、注文の対象の印刷をインクジェットプリンター２０に実現させるための印刷データと、注文の対象の印刷をインクジェットプリンター２０に実現させるために使用されるべき治具の治具ＩＤと、インクジェットプリンター２０によって印刷される予定の最終的な被加工物の個数としての最終加工個数とを含んでいる。すなわち、注文状況データベース４６ｃは、加工データとしての印刷データを複数蓄積可能であり、本発明の加工データ蓄積部を構成している。なお、図６においては、印刷データについては具体的な表示を省略している。
【００５１】
図４に示す制御部４７は、例えば、ＣＰＵと、プログラムおよび各種のデータを記憶しているＲＯＭと、制御部４７のＣＰＵの作業領域として用いられるＲＡＭとを備えている。制御部４７のＣＰＵは、制御部４７のＲＯＭまたは記憶部４６に記憶されているプログラムを実行する。
【００５２】
制御部４７は、印刷管理プログラム４６ａを実行することによって、治具から治具ＩＤを取得する情報取得部４７ａと、インクジェットプリンター２０による印刷を制御する印刷制御部４７ｂと、印刷データおよび治具の不適合を通知する不適合通知部４７ｃと、最終加工個数および最大支持個数を通知する個数通知部４７ｄとを実現する。
【００５３】
図７は、治具５０の外観斜視図である。
【００５４】
図７に示すように、治具５０は、被加工物９０（図２参照。）を支持するための複数の支持部５１と、治具５０自身の治具ＩＤを示すバーコード５２とを備えている。治具５０において、支持部５１は、矢印５０ａで示す縦方向に縦方向最大支持個数分だけ並んで配置されており、矢印５０ｂで示す横方向に横方向最大支持個数分だけ並んで配置されており、全部で最大支持個数分配置されている。バーコード５２は、例えばＱＲコード（登録商標）などの二次元バーコードでも良いし、一次元バーコードでも良い。バーコード５２は、治具５０の本体にシールで貼り付けられても良いし、治具５０の本体に直接印刷されても良い。
【００５５】
次に、加工システム１０の動作について説明する。
【００５６】
まず、治具データベース４６ｂに治具の情報を登録する場合の印刷管理システム４０の動作について説明する。
【００５７】
印刷管理システム４０の利用者は、印刷管理システム４０の操作部４１を介して、または、図示していない外部のコンピューター経由で印刷管理システム４０の通信部４４を介して、治具の情報を治具データベース４６ｂに登録することを印刷管理システム４０に指示することができる。印刷管理システム４０の制御部４７は、治具の情報を治具データベース４６ｂに登録することが指示されると、治具データベース４６ｂに登録することが指示された情報を、治具データベース４６ｂに登録する。
【００５８】
次に、注文状況データベース４６ｃに注文を登録する場合の印刷管理システム４０の動作について説明する。
【００５９】
印刷管理システム４０の制御部４７は、印刷データ、治具ＩＤおよび最終加工個数などの情報を含む注文が通信部４４を介して入力されると、入力された注文を注文が注文状況データベース４６ｃに登録する。ここで、注文は、例えば、インクジェットプリンター２０による印刷の作業者の顧客から入力されても良い。
【００６０】
次に、治具に付されているバーコードがバーコードリーダー４５によって読み取られる場合の加工システム１０の動作について説明する。
【００６１】
インクジェットプリンター２０による印刷の作業者は、フラットベッド２１に治具を位置決めしてセットする。ここで、加工システム１０が複数の種類の治具を備えている場合、作業者は、複数の種類の治具の中から選んだ１つの治具をフラットベッド２１に位置決めしてセットする。作業者は、フラットベッド２１に治具を位置決めしてセットした後、フラットベッド２１にセットした治具に付されているバーコードをバーコードリーダー４５に読み取らせる。
【００６２】
図８は、治具に付されているバーコードがバーコードリーダー４５によって読み取られる場合の印刷管理システム４０の動作のフローチャートである。
【００６３】
印刷管理システム４０の制御部４７は、バーコードリーダー４５によってバーコードが読み取られると、図８に示す動作を実行する。
【００６４】
図８に示すように、情報取得部４７ａは、バーコードリーダー４５によって読み取られたバーコードによって示される治具ＩＤを取得する（Ｓ６１）。
【００６５】
次いで、印刷制御部４７ｂは、Ｓ６１において取得された治具ＩＤに関連付けられている情報を治具データベース４６ｂから取得する（Ｓ６２）。
【００６６】
次いで、印刷制御部４７ｂは、Ｓ６１において取得された治具ＩＤに関連付けられている注文が注文状況データベース４６ｃに含まれているか否かを判断する（Ｓ６３）。すなわち、印刷制御部４７ｂは、注文状況データベース４６ｃに蓄積されている全ての印刷データに関して、印刷データに関連付けられている治具ＩＤと、Ｓ６１において治具から取得された治具ＩＤとが一致するか否かを判断する。
【００６７】
不適合通知部４７ｃは、Ｓ６１において取得された治具ＩＤに関連付けられている注文が注文状況データベース４６ｃに含まれていない、すなわち、注文状況データベース４６ｃに蓄積されている全ての印刷データに関して、印刷データに関連付けられている治具ＩＤと、Ｓ６１において治具から取得された治具ＩＤとが一致しないとＳ６３において判断すると、注文状況データベース４６ｃに蓄積されている全ての印刷データと、フラットベッド２１にセットされている治具との不適合を表示部４２による表示によって通知し（Ｓ６４）、図８に示す動作を終了する。不適合通知部４７ｃは、フラットベッド２１にセットされている治具を別の種類の治具に交換すべきことを作業者に促すメッセージを、Ｓ６４における通知に含めても良い。
【００６８】
印刷制御部４７ｂは、Ｓ６１において取得された治具ＩＤに関連付けられている注文が注文状況データベース４６ｃに含まれている、すなわち、注文状況データベース４６ｃに蓄積されているいずれかの印刷データに関連付けられている治具ＩＤと、Ｓ６１において治具から取得された治具ＩＤとが一致するとＳ６３において判断すると、注文状況データベース４６ｃに含まれている注文のうち、Ｓ６１において取得された治具ＩＤに関連付けられている注文に含まれる印刷データに応じて印刷を開始する（Ｓ６５）。
【００６９】
インクジェットプリンター２０の制御部３４は、印刷管理システム４０から通信部３２を介して印刷データを受信すると、フラットベッド２１にセットされている治具に支持されている被加工物に対して、通信部３２を介して受信した印刷データに基づいて印刷を実行する。すなわち、制御部３４は、キャリッジ走査装置２８によって主走査方向にキャリッジ２４を移動させてインクジェットヘッド２５によって被加工物に向けてインクを吐出し、被加工物に付着したインクに向けて光照射装置２６によって光を照射することによって、主走査方向における被加工物に対する印刷を実行する。また、制御部３４は、主走査方向における被加工物に対する印刷を実行すると、必要に応じて、印刷部走査装置２７によって副走査方向に印刷部２２を搬送することによって、副走査方向における被加工物に対する印刷の位置を変更した後、再び主走査方向における被加工物に対する印刷を実行する。
【００７０】
個数通知部４７ｄは、Ｓ６５の処理の後、現在印刷を実行中の注文に対して注文状況データベース４６ｃに含まれている最終加工個数と、Ｓ６１において取得された治具ＩＤに治具データベース４６ｂにおいて関連付けられている最大支持個数とを表示部４２による表示によって通知して（Ｓ６６）、図８に示す動作を終了する。
【００７１】
以上に説明したように、加工システム１０は、印刷データに関連付けられている治具ＩＤと、治具から取得した治具ＩＤとが一致しない場合（Ｓ６３でＮＯ）に、印刷データおよび治具の不適合を通知する（Ｓ６４）ので、印刷データおよび治具が不適合な状態での印刷の実行を抑えることができる。
【００７２】
加工システム１０は、治具から治具ＩＤを取得した場合（Ｓ６１）に、注文状況データベース４６ｃに蓄積されている全ての印刷データに関して、印刷データに関連付けられている治具ＩＤと、治具から取得した治具ＩＤとが一致しないとき（Ｓ６３でＮＯ）、印刷データおよび治具の不適合を通知する（Ｓ６４）ので、印刷データおよび治具の不適合を通知した場合に治具を交換すべきことを作業者に容易に認識させることができ、その結果、利便性を向上することができる。
【００７３】
加工システム１０は、注文状況データベース４６ｃに蓄積されている印刷データのうち、治具からＳ６１において取得された治具ＩＤが関連付けられている印刷データに応じて印刷を実行する（Ｓ６５）ので、注文状況データベース４６ｃに蓄積されている印刷データから、治具に適合する印刷データを作業者が抽出する必要がなく、利便性を向上することができる。
【００７４】
加工システム１０は、治具から治具ＩＤを取得した場合（Ｓ６１）に、インクジェットプリンター２０が印刷データに応じて印刷を実行する（Ｓ６５）とき、インクジェットプリンター２０が印刷に使用する印刷データに関連付けられている最終加工個数と、治具から取得した治具ＩＤに関連付けて治具データベース４６ｂに示されている最大支持個数とを通知する（Ｓ６６）ので、作業者による作業の予測を容易化することができる。例えば、最終加工個数が２００個であって、最大支持個数が２０個である場合、作業者は、対象の治具を使用してインクジェットプリンター２０に１０回の印刷を実行させることによって最終加工個数の被加工物への印刷が終了することを認識することができるとともに、印刷作業の次の作業のための場所へ、印刷済みの被加工物をいつ移動させるべきかを認識することができる。したがって、作業者は、効率的に作業を実行することができる。
【００７５】
加工システム１０は、本実施の形態において、Ｓ６４における通知を印刷管理システム４０の表示部４２による表示によって実行する。しかしながら、加工システム１０は、表示部４２による表示に代えて、または、表示部４２による表示に加えて、インクジェットプリンター２０の表示部３０による表示と、インクジェットプリンター２０のスピーカー３１による音声出力と、印刷管理システム４０のスピーカー４３による音声出力と、治具の表示デバイスによる表示と、治具の音声出力デバイスによる音声出力との少なくとも１つによってＳ６４における通知を実行しても良い。図９は、図７に示す例とは異なる治具５０の外観斜視図である。図９に示す治具５０は、図７に示す治具５０の構成要素に加えて、表示デバイスである表示部５３と、音声出力デバイスであるスピーカー５４とを備えている。加工システム１０は、印刷データおよび治具の不適合を治具自身に備えられるデバイスによって通知する場合、治具をインクジェットプリンター２０にセットする作業者によって印刷データおよび治具の不適合が認識される可能性を向上することができる。
【００７６】
加工システム１０は、本実施の形態において、フラットベッド２１にセットされた治具に付されているバーコードが作業者によってバーコードリーダー４５で読み取られる。しかしながら、加工システム１０は、治具がフラットベッド２１にセットされた場合に、この治具のバーコードを自動で読み取る仕組みでも良い。
【００７７】
加工システム１０は、本実施の形態において、印刷管理システム４０がバーコードリーダー４５を備えている。しかしながら、加工システム１０は、フラットベッド２１にセットされた治具に付されているバーコードを読み取るバーコードリーダーをインクジェットプリンター２０が備えても良い。
【００７８】
加工システム１０は、本実施の形態において、フラットベッド２１にセットされた治具に付されているバーコードを読み取ることによって、フラットベッド２１にセットされた治具から治具ＩＤを取得する。しかしながら、加工システム１０は、バーコード以外の方法によって治具から治具ＩＤを取得しても良い。例えば、加工システム１０は、治具ＩＤを無線通信または有線通信で送信する送信機を治具が備えていて、治具の送信機から送信された治具ＩＤを無線通信または有線通信で受信する受信機をインクジェットプリンター２０または印刷管理システム４０が備えていても良い。加工システム１０は、治具から治具ＩＤを無線通信または有線通信で取得する場合、治具からの治具ＩＤの取得を容易化することができ、利便性を向上することができる。
【００７９】
加工システム１０は、印刷管理システム４０の機能の少なくとも一部がインクジェットプリンター２０によって実現されても良い。
【００８０】
（第２の実施の形態）
まず、本発明の第２の実施の形態に係る加工システムの構成について説明する。
【００８１】
なお、本実施の形態に係る加工システムの構成要素のうち、第１の実施の形態に係る加工システム１０（図１参照。）の構成要素と同様の構成要素については、加工システム１０の構成要素と同一の符号を付して、詳細な説明を省略する。
【００８２】
図１０は、本実施の形態に係る加工システム１１０のブロック図である。
【００８３】
図１０に示すように、加工システム１１０の構成は、加工システム１０が印刷管理システム４０（図１参照。）に代えて印刷管理システム１４０を備えた構成と同様である。印刷管理システム１４０は、１台のコンピューターによって構成されても良いし、複数台のコンピューターによって構成されても良い。
【００８４】
図１１は、１台のコンピューターによって構成される場合の印刷管理システム１４０のブロック図である。
【００８５】
図１１に示すように、印刷管理システム１４０の構成は、印刷管理システム４０が印刷管理プログラム４６ａ（図４参照。）に代えて印刷管理プログラム１４６ａを備えた構成と同様である。
【００８６】
制御部４７は、印刷管理プログラム１４６ａを実行することによって、情報取得部４７ａおよび個数通知部４７ｄと、インクジェットプリンター２０による印刷を制御する印刷制御部１４７ｂと、印刷データおよび治具の不適合を通知する不適合通知部１４７ｃとを実現する。
【００８７】
次に、加工システム１１０の動作について説明する。
【００８８】
加工システム１１０の動作は、図８に示す動作に代えて図１２に示す動作を実行する点を除いて、加工システム１１０の動作と同様である。
【００８９】
図１２は、治具に付されているバーコードがバーコードリーダー４５によって読み取られる場合の印刷管理システム１４０の動作のフローチャートである。
【００９０】
インクジェットプリンター２０による印刷の作業者は、注文状況データベース４６ｃに蓄積されているいずれかの注文を操作部４１または通信部４４を介して指定する。次に、作業者は、フラットベッド２１に治具を位置決めしてセットする。ここで、加工システム１０が複数の種類の治具を備えている場合、作業者は、複数の種類の治具の中から選んだ１つの治具をフラットベッド２１に位置決めしてセットする。なお、注文の指定と、治具のセットとは、いずれが先に実行されても良い。作業者は、注文の指定と、治具のセットとの実行後、フラットベッド２１にセットした治具に付されているバーコードをバーコードリーダー４５に読み取らせる。
【００９１】
印刷管理システム１４０の制御部４７は、バーコードリーダー４５によってバーコードが読み取られると、図１２に示す動作を実行する。
【００９２】
図１２に示すように、情報取得部４７ａは、Ｓ６１（図８参照。）と同様のＳ１６１を実行する。
【００９３】
次いで、印刷制御部１４７ｂは、Ｓ６２（図８参照。）と同様のＳ１６２を実行する。
【００９４】
次いで、印刷制御部１４７ｂは、指定された注文に注文状況データベース４６ｃにおいて関連付けられている治具ＩＤと、Ｓ１６１において取得された治具ＩＤとが一致するか否かを判断する（Ｓ１６３）。
【００９５】
不適合通知部１４７ｃは、指定された注文に注文状況データベース４６ｃにおいて関連付けられている治具ＩＤと、Ｓ１６１において取得された治具ＩＤとが一致しないとＳ１６３において判断すると、指定された注文に含まれる印刷データと、フラットベッド２１にセットされている治具との不適合を表示部４２による表示によって通知し（Ｓ１６４）、図１２に示す動作を終了する。不適合通知部１４７ｃは、フラットベッド２１にセットされている治具を別の種類の治具に交換すべきことと、注文の指定を変更すべきこととの少なくとも一方を作業者に促すメッセージを、Ｓ１６４における通知に含めても良い。
【００９６】
印刷制御部１４７ｂは、指定された注文に注文状況データベース４６ｃにおいて関連付けられている治具ＩＤと、Ｓ１６１において取得された治具ＩＤとが一致するとＳ１６３において判断すると、指定された注文に含まれる印刷データに応じて印刷を開始する（Ｓ１６５）。
【００９７】
個数通知部４７ｄは、Ｓ１６５の処理の後、Ｓ６６（図８参照。）と同様のＳ１６６を実行して、図１２に示す動作を終了する。
【００９８】
以上に説明したように、加工システム１１０は、印刷データに関連付けられている治具ＩＤと、治具から取得した治具ＩＤとが一致しない場合（Ｓ１６３でＮＯ）に、印刷データおよび治具の不適合を通知する（Ｓ１６４）ので、印刷データおよび治具が不適合な状態での印刷の実行を抑えることができる。
【００９９】
加工システム１１０は、注文状況データベース４６ｃに蓄積されている印刷データのうち、指定された印刷データに関連付けられている治具ＩＤと、治具から取得した治具ＩＤとが一致しないとき（Ｓ１６３でＮＯ）、印刷データおよび治具の不適合を通知する（Ｓ１６４）ので、作業者が印刷の実行を希望する印刷データに適合しない治具を使用した印刷を防止することができる。
【０１００】
加工システム１１０は、注文状況データベース４６ｃに蓄積されている印刷データのうち、指定された印刷データに関連付けられている治具ＩＤと、治具から取得した治具ＩＤとが一致するとき（Ｓ１６３でＹＥＳ）、印刷を実行する（Ｓ１６５）ので、作業者が印刷の実行を希望する印刷データに適合する治具を使用した印刷を実行することができる。
【０１０１】
加工システム１１０は、本実施の形態において、Ｓ１６４における通知を印刷管理システム１４０の表示部４２による表示によって実行する。しかしながら、加工システム１１０は、表示部４２による表示に代えて、または、表示部４２による表示に加えて、インクジェットプリンター２０の表示部３０による表示と、インクジェットプリンター２０のスピーカー３１による音声出力と、印刷管理システム１４０のスピーカー４３による音声出力と、治具の表示デバイスによる表示と、治具の音声出力デバイスによる音声出力との少なくとも１つによってＳ１６４における通知を実行しても良い。
【０１０２】
加工システム１１０は、本実施の形態において、フラットベッド２１にセットされた治具に付されているバーコードが作業者によってバーコードリーダー４５で読み取られる。しかしながら、加工システム１１０は、治具がフラットベッド２１にセットされた場合に、この治具のバーコードを自動で読み取る仕組みでも良い。
【０１０３】
加工システム１１０は、本実施の形態において、印刷管理システム１４０がバーコードリーダー４５を備えている。しかしながら、加工システム１１０は、フラットベッド２１にセットされた治具に付されているバーコードを読み取るバーコードリーダーをインクジェットプリンター２０が備えても良い。
【０１０４】
加工システム１１０は、本実施の形態において、フラットベッド２１にセットされた治具に付されているバーコードを読み取ることによって、フラットベッド２１にセットされた治具から治具ＩＤを取得する。しかしながら、加工システム１１０は、第１の実施の形態に係る加工システム１０と同様に、バーコード以外の方法によって治具から治具ＩＤを取得しても良い。
【０１０５】
加工システム１１０は、印刷管理システム１４０の機能の少なくとも一部がインクジェットプリンター２０によって実現されても良い。
【０１０６】
本発明の加工は、上述の各実施の形態において、ＵＶ硬化型インクによるインクジェット印刷であるが、ＵＶ硬化型インクによるインクジェット印刷以外の印刷でも良いし、例えば切断など、印刷以外の加工でも良い。
【符号の説明】
【０１０７】
１０  加工システム
２０  インクジェットプリンター（加工装置）
４６ｂ  治具データベース
４６ｃ  注文状況データベース（加工データ蓄積部）
４７ａ  情報取得部
４７ｃ  不適合通知部
４７ｄ  個数通知部
５０  治具
５３  表示部（治具に備えられるデバイス）
５４  スピーカー（治具に備えられるデバイス）
９０  被加工物
１１０  加工システム
１４７ｃ  不適合通知部
【図１】
2020151891.tif 000003
【図２】
2020151891.tif 000004
【図３】
2020151891.tif 000005
【図４】
2020151891.tif 000006
【図５】
2020151891.tif 000007
【図６】
2020151891.tif 000008
【図７】
2020151891.tif 000009
【図８】
2020151891.tif 000010
【図９】
2020151891.tif 000011
【図１０】
2020151891.tif 000012
【図１１】
2020151891.tif 000013
【図１２】
2020151891.tif 000014